(57)【特許請求の範囲】
【請求項１】
筐体内に、その前面から上面および後面にかけて配設された熱交換器と、該熱交換器の上流側に配設されたエアフィルタと、該エアフィルタをフィルタガイドに沿って移動させながら該エアフィルタにより捕集された塵埃を除去するフィルタ清掃機構とが設置されている空気調和機において、
前記フィルタガイドにより、前記エアフィルタを前記熱交換器の上流側に沿って付設する第１フィルタガイド経路と、該第１フィルタガイド経路の一端に連続し、湾曲経路により前記エアフィルタを折り返す第２フィルタガイド経路と、該第２フィルタガイド経路に連続し、清掃時に移動される前記エアフィルタを前記熱交換器の上方部位から外れた位置に導く第３フィルタガイド経路とが形成され、
前記第３フィルタガイド経路は、前記筐体内の前面側の上方部位で前記第１フィルタガイド経路と交差し、該筐体の前面に沿う位置に延在され、前記第１フィルタガイド経路よりも前記筐体の前記前面の側に前記エアフィルタを導く経路を含むことを特徴とする空気調和機。
【請求項２】
前記第２フィルタガイド経路は、前記熱交換器の上流側に前記第１フィルタガイド経路を介して付設された前記エアフィルタの一端が位置する前記筐体内の前面側の下方部位に設けられ、該第２フィルタガイド経路と連続する前記第３フィルタガイド経路は、前記熱交換器の前面側において前記第１フィルタガイド経路と平行に上方に延在されていることを特徴とする請求項１に記載の空気調和機。
【請求項３】
前記第３フィルタガイド経路は、前記第１フィルタガイド経路と前記熱交換器の前面側との間を通して上方に延在されていることを特徴とする請求項２に記載の空気調和機。
【請求項４】
前記第３フィルタガイド経路は、前記筐体内の前面側の上方部位で前記第１フィルタガイド経路と交差した後、下向きに折り返され、更に前記筐体の前面に沿って下方に延在されていることを特徴とする請求項１ないし３のいずれかに記載の空気調和機。
【請求項５】
前記第３フィルタガイド経路と前記第１フィルタガイド経路との交差位置は、前記エアフィルタが前記第３フィルタガイド経路に沿って移動され、その一端が前記交差位置に差し掛かったとき、前記第１フィルタガイド経路を移動中の前記エアフィルタの他端が該交差位置を通過している位置に設定されていることを特徴とする請求項１ないし４のいずれかに記載の空気調和機。
【請求項６】
前記第３フィルタガイド経路は、前記筐体の前面に沿って下向きに延在され、所定位置で前記第１フィルタガイド経路に接続されていることを特徴とする請求項１ないし５のいずれかに記載の空気調和機。
【請求項７】
筐体内に、その前面から上面および後面にかけて配設された熱交換器と、該熱交換器の上流側に配設されたエアフィルタと、該エアフィルタをフィルタガイドに沿って移動させながら該エアフィルタにより捕集された塵埃を除去するフィルタ清掃機構とが設置されている空気調和機において、
前記フィルタガイドにより、前記エアフィルタを前記熱交換器の上流側に沿って付設する第１フィルタガイド経路と、該第１フィルタガイド経路の一端に連続し、湾曲経路により前記エアフィルタを折り返す第２フィルタガイド経路と、該第２フィルタガイド経路に連続し、清掃時に移動される前記エアフィルタを前記熱交換器の上方部位から外れた位置に導く第３フィルタガイド経路とが形成され、
前記第３フィルタガイド経路は、前記筐体内の前面側の上方部位で前記第１フィルタガイド経路と交差し、前記筐体の前面に沿って下向きに延在され、所定位置で前記第１フィルタガイド経路に接続されていることを特徴とする空気調和機。
【発明の詳細な説明】
【技術分野】
【０００１】
本発明は、エアフィルタを自動的に清掃するフィルタ清掃機構を備えている空気調和機に関するものである。
【背景技術】
【０００２】
エアフィルタで捕集された塵埃が蓄積されると、通風抵抗が増大し、空気調和機の運転効率が低下する。そこで、エアフィルタにより捕集された塵埃を定期的に除去し、エアフィルタを自動清掃するフィルタ清掃機構を備えた空気調和機が提供されている。また、フィルタ清掃機構として、様々な方式が提案されている。その１つに、熱交換器の上流側に配設されているエアフィルタをフィルタガイドに沿って移動させ、その移動経路に沿って設置されている回転ブラシ等を介してエアフィルタ上の塵埃を掻き取り、それをダストボックス内に回収するように構成したものがある（例えば、特許文献１参照）。
【０００３】
この空気調和機では、筐体内にその前面から上面、後面にかけてΛ形状に曲げ形成された熱交換器を配設し、該熱交換器の上流側に、筐体の前面および上面側に形成されている吸込み口を覆うようにエアフィルタを配設している。そして、このエアフィルタを、ガイド経路に沿って熱交換器上流側の通常付設位置から、筐体前面に対向配置されている熱交換器の下部付近で上方にＵターンさせた後、通常付設位置と熱交換器との間を通して上方に移動させ、更に熱交換器の上部付近で筐体上面に沿う通常ガイド経路に合流する経路に沿って移動させるようにし、この間に、Ｕターン位置付近に設置されている回転ブラシによりエアフィルタ上の塵埃を除去する構成としている。
【先行技術文献】
【特許文献】
【０００４】
【特許文献１】特許第４１７５４０９号公報
【発明の概要】
【発明が解決しようとする課題】
【０００５】
しかしながら、上述の空気調和機は、エアフィルタが筐体の前面および上面に沿って配設され、移動方向に長い大型フィルタが採用されているということもあって、清掃時に移動されるエアフィルタの経路が、通常のフィルタ付設位置の内側において熱交換器の前面から上面に至る位置まで延在され、エアフィルタの塵埃捕集面が熱交換器側に面してその上方位置まで移動されるようになっている。このため、回転ブラシにより除去し切れずに塵埃の一部がエアフィルタ上に残留していた場合、その塵埃が振動等によって熱交換器上に落下するおそれがあった。
【０００６】
上記のように、熱交換器上に塵埃が落下した場合、塵埃が熱交換器に付着し、その表面を汚してしまうため、空気との熱交換が阻害されることになる。これによって、熱交換性能が低下し、ひいては空気調和機の性能が低下するという課題があった。また、せっかく捕集した塵埃が空気調和機を運転したとき、吹出し風に乗って再び室内に飛散してしまう等の課題もあった。
【０００７】
本発明は、このような事情に鑑みてなされたものであって、フィルタ清掃機構によるエアフィルタの清掃時に、エアフィルタ上に塵埃の一部が残留していたとしても、その塵埃の熱交換器上への落下を防止することができる空気調和機を提供することを目的とする。
【課題を解決するための手段】
【０００８】
上記した課題を解決するために、本発明の空気調和機は、以下の手段を採用する。
すなわち、本発明にかかる空気調和機は、筐体内に、その前面から上面および後面にかけて配設された熱交換器と、該熱交換器の上流側に配設されたエアフィルタと、該エアフィルタをフィルタガイドに沿って移動させながら該エアフィルタにより捕集された塵埃を除去するフィルタ清掃機構とが設置されている空気調和機において、前記フィルタガイドにより、前記エアフィルタを前記熱交換器の上流側に沿って付設する第１フィルタガイド経路と、該第１フィルタガイド経路の一端に連続し、湾曲経路により前記エアフィルタを折り返す第２フィルタガイド経路と、該第２フィルタガイド経路に連続し、清掃時に移動される前記エアフィルタを前記熱交換器の上方部位から外れた位置に導く第３フィルタガイド経路とが形成されていることを特徴とする。
【０００９】
本発明によれば、エアフィルタをフィルタガイドに沿って移動させながら塵埃を除去するフィルタ清掃機構を備えている空気調和機において、フィルタガイドにより、エアフィルタを熱交換器の上流側に沿って付設する第１フィルタガイド経路と、該第１フィルタガイド経路の一端に連続し、湾曲経路によりエアフィルタを折り返す第２フィルタガイド経路と、該第２フィルタガイド経路に連続し、清掃時に移動されるエアフィルタを熱交換器の上方部位から外れた位置に導く第３フィルタガイド経路とが形成されているため、エアフィルタを移動させて塵埃を除去するフィルタ清掃時に、第２フィルタガイド経路により折り返されて第３フィルタガイド経路に案内されたエアフィルタを、該第３フィルタガイド経路を介して熱交換器の上方部位から外れた位置へと導くことができる。従って、フィルタ清掃機構で除去し切れずに一部の塵埃がエアフィルタ上に残っていたとしても、その塵埃が振動等により熱交換器上に落下することはなく、熱交換器に塵埃が付着することによる性能の低下や塵埃の室内への再飛散等を防止することができる。
【００１０】
さらに、本発明の空気調和機は、上記の空気調和機において、前記第２フィルタガイド経路は、前記熱交換器の上流側に前記第１フィルタガイド経路を介して付設された前記エアフィルタの一端が位置する前記筐体内の前面側の下方部位に設けられ、該第２フィルタガイド経路と連続する前記第３フィルタガイド経路は、前記熱交換器の前面側において前記第１フィルタガイド経路と平行に上方に延在されていることを特徴とする。
【００１１】
本発明によれば、第２フィルタガイド経路が、熱交換器の上流側に第１フィルタガイド経路を介して付設されたエアフィルタの一端が位置する筐体内の前面側の下方部位に設けられ、該第２フィルタガイド経路と連続する第３フィルタガイド経路が、熱交換器の前面側において第１フィルタガイド経路と平行して上方に延在されているため、エアフィルタの清掃時、第２フィルタガイド経路で折返されたエアフィルタを、熱交換器の前面側において第１フィルタガイド経路と平行に上方に延在されている第３フィルタガイド経路に導くことができる。従って、フィルタ清掃時に、第１フィルタガイド経路から移動されたエアフィルタが熱交換器の上方部位に導かれることはなく、エアフィルタに残留していた塵埃の熱交換器上への落下を防止することができる。
【００１２】
さらに、本発明の空気調和機は、上記の空気調和機において、前記第３フィルタガイド経路は、前記第１フィルタガイド経路と前記熱交換器の前面側との間を通して上方に延在されていることを特徴とする。
【００１３】
本発明によれば、第３フィルタガイド経路が、第１フィルタガイド経路と熱交換器の前面側との間を通して上方に延在されているため、エアフィルタの清掃時、第２フィルタガイド経路で折返されたエアフィルタを、第１フィルタガイド経路と熱交換器の前面側との間を通して第１フィルタガイド経路と平行に上方に延在されている第３フィルタガイド経路に導くことができる。従って、フィルタ清掃時に、第１フィルタガイド経路から移動されたエアフィルタが熱交換器の上方部位に導かれることはなく、エアフィルタに残留していた塵埃の熱交換器上への落下を防止することができる。
【００１４】
さらに、本発明の空気調和機は、上述のいずれかの空気調和機において、前記第３フィルタガイド経路は、前記筐体内の前面側の上方部位で前記第１フィルタガイド経路と交差し、該筐体の前面に沿う位置に延在されていることを特徴とする。
【００１５】
本発明によれば、第３フィルタガイド経路が、筐体内の前面側の上方部位で第１フィルタガイド経路と交差し、該筐体の前面に沿う位置に延在されているため、第３フィルタガイド経路の経路長を、筐体内の前面側の上方部位で第１フィルタガイド経路と交差した位置から更に筐体の前面に沿う位置に延在することによって十分長くすることができる。従って、エアフィルタが移動方向に長い大型のフィルタであっても、それを第３フィルタガイド経路により確実に熱交換器の上方部位から外れた筐体の前面に沿う位置に導くことができ、エアフィルタに残留していた塵埃の熱交換器上への落下を防止することができるとともに、大型のフィルタを設置して吸込み面積を十分確保することができる。
【００１６】
また、本発明の空気調和機は、上記の空気調和機において、前記第３フィルタガイド経路は、前記筐体内の前面側の上方部位で前記第１フィルタガイド経路と交差した後、下向きに折り返され、更に前記筐体の前面に沿って下方に延在されていることを特徴とする。
【００１７】
本発明によれば、第３フィルタガイド経路が、筐体内の前面側の上方部位で第１フィルタガイド経路と交差した後、下向きに折り返され、更に筐体の前面に沿って下方に延在されているため、筐体内の前面側の下方部位から上方部位へと延在された第３フィルタガイド経路を、上方部位で第１フィルタガイド経路と交差した後、下向きに折り返し、更に筐体の前面に沿って下方に延在することにより十分長く採ることができる。従って、エアフィルタが移動方向に長い大型のフィルタであっても、それを第３フィルタガイド経路により確実に熱交換器の上方部位から外れた筐体の前面に沿う位置に導くことができ、エアフィルタに残留していた塵埃の熱交換器上への落下を防止することができるとともに、大型のフィルタを設置して吸込み面積を十分確保することができる。
【００１８】
また、本発明の空気調和機は、上述のいずれかの空気調和機において、前記第３フィルタガイド経路と前記第１フィルタガイド経路との交差位置は、前記エアフィルタが前記第３フィルタガイド経路に沿って移動され、その一端が前記交差位置に差し掛かったとき、前記第１フィルタガイド経路を移動中の前記エアフィルタの他端が該交差位置を通過している位置に設定されていることを特徴とする。
【００１９】
本発明によれば、第３フィルタガイド経路と第１フィルタガイド経路との交差位置が、エアフィルタが第３フィルタガイド経路に沿って移動され、その一端が交差位置に差し掛かったとき、第１フィルタガイド経路を移動中のエアフィルタの他端が該交差位置を通過している位置に設定されているため、第３フィルタガイド経路と第１フィルタガイド経路とが互いに交差していても、交差位置でエアフィルタの端部同士が互いに干渉することはなく、エアフィルタの一端側を、交差位置を通過させて筐体の前面に沿って延在されている第３フィルタガイド経路に導くことができる。従って、第３フィルタガイド経路の経路長を十分長くすることができ、エアフィルタを大型化して吸込み面積を十分確保することができるとともに、エアフィルタを第３フィルタガイド経路により確実に熱交換器の上方部位から外れた筐体の前面に沿う位置に導き、エアフィルタに残留していた塵埃の熱交換器上への落下を防止することができる。
【００２０】
さらに、本発明の空気調和機は、上述のいずれかの空気調和機において、前記第３フィルタガイド経路は、前記筐体の前面に沿って下向きに延在され、所定位置で前記第１フィルタガイド経路に接続されていることを特徴とする。
【００２１】
本発明によれば、第３フィルタガイド経路が、筐体の前面に沿って下向きに延在され、所定位置で第１フィルタガイド経路に接続されているため、第３フィルタガイド経路の筐体の前面に沿って下向きに延在されている部分の一部を、第１フィルタガイド経路の一部と共用化して筐体の前面に沿って下向きに延在させることができる。従って、第３フィルタガイド経路を十分長くし、エアフィルタを大型化することができるとともに、フィルタガイド経路の構成を徒に複雑化することはなく、出来る限り簡素にしてユニットのコンパクト化を図ることができる。
【発明の効果】
【００２２】
本発明によると、エアフィルタを移動させて塵埃を除去するフィルタ清掃時に、第２フィルタガイド経路により折り返されて第３フィルタガイド経路に案内されたエアフィルタを、該第３フィルタガイド経路を介して熱交換器の上方部位から外れた位置へと導くことができるため、フィルタ清掃機構で除去し切れずに一部の塵埃がエアフィルタ上に残っていたとしても、その塵埃が振動等により熱交換器上に落下することはなく、熱交換器に塵埃が付着することによる性能の低下や塵埃の室内への再飛散等を防止することができる。
【図面の簡単な説明】
【００２３】
【図１】本発明の一実施形態に係る空気調和機の外観斜視図である。
【図２】図１に示す空気調和機のフロントパネルを取外した状態の斜視図である。
【図３】図１に示す空気調和機のエアフィルタが通常付設位置に配設されている状態の縦断面図である。
【図４】図１に示す空気調和機のエアフィルタが清掃時に移動されている途中状態の縦断面図である。
【図５】図１に示す空気調和機のエアフィルタが清掃時に移動終了（往動終了）位置まで移動された状態の縦断面図である。
【発明を実施するための形態】
【００２４】
以下に、本発明の一実施形態について、図１ないし図５を参照して説明する。
図１には、本発明の一実施形態に係る空気調和機の斜視図が示され、図２には、そのフロントパネルを取外した状態の斜視図、図３には、その縦断面図が示されている。ここでは、壁掛け型の空気調和機１が例示されている。
空気調和機１は、ベース本体２と、該ベース本体２にその前方部位を上下、左右、および前面から被うように取り付けられたフロントカバー３と、該フロントカバー３の前面に取り付けられたフロントパネル４とから構成された横長長方形状の筐体５を備えている。
【００２５】
筐体５を構成しているフロントカバー３の前面および上面は、その略全面が格子状の桟６，７とされ、該桟６，７により空気吸込み口８が形成されるとともに、該桟６，７がフィルタガイドを兼ねるように構成されている。フロントカバー３の上面には、吸込みグリル９が設置されており、下面の前方部位には、略全幅にわたり温調された空気を室内に吹出す吹出し口１０が開口されている。空気吹出し口１０には、風向を左右方向に変更する複数枚のルーバ１１と、風向を上下方向に変更するとともに、空気吹出し口１０を閉鎖可能な左右に２分割されている上下各２枚の水平フラップ１２が設けられている。このルーバ１１および水平フラップ１２は、図示省略のモータによって、それぞれ独立して回動されるように構成されている。
【００２６】
筐体５内には、前面および上面の空気吸込み口８から下面前方部位の空気吹出し口１０に至る間に空気流路１３が形成されており、該空気流路１３中に上流側からエアフィルタ１４、室内熱交換器（熱交換器）１５および室内ファン１６が順次配設されている。吸込みグリル９を介して吸込まれた室内空気は、エアフィルタ１４を通過して塵埃が除去された後、室内熱交換器１５により冷却または加熱され、室内ファン１６を介して空気吹出し口８から室内に吹出されるようになっている。エアフィルタ１４は、左右に２分割されて設置され、該エアフィルタ１４の背面側の前面上方部位には、それぞれ横長の空清フィルタ１７が配設されている。
【００２７】
室内熱交換器１５は、概略Λ形状に折り曲げ形成されたプレートフィンチューブ型熱交換器とされ、筐体５内において、前面の下部位置から上面および後面にかけて配設されている。該室内熱交換器１５の下流側において、その内側空間内に室内ファン１６を構成する細長い筒状のクロスフローファンが配設されている。エアフィルタ１４は、室内熱交換器１２の上流側において、筐体５を構成しているフロントカバー３の前面および上面の略全面に設けられている格子状の桟６，７の前面側領域を覆うように、多数のフィルタガイドによって形成される第１フィルタガイド経路１８に沿って付設されている。
【００２８】
第１フィルタガイド経路１８は、フロントカバー３の桟６，７の表面、吸込みグリル９の下面、フロントカバー３の前面側に設置されているフィルタガイド１９、空清フィルタ１７のフィルタ枠２０の外表面、該フィルタ枠２０に対向してフロントカバー３の前面上方部位に設置されているフィルタガイド２１、フロントパネル４の背面にフィルタガイド１９と対向配置されているフィルタガイド部材２２等々の多数のフィルタガイドによって形成されている。
【００２９】
この第１フィルタガイド経路１８は、筐体５の上面側に沿って形成されているガイド経路１８Ａと、筐体５の前面側に沿って形成されているガイド経路１８Ｂとから構成されている。また、第１フィルタガイド経路１８を介して室内熱交換器１５の上流側に沿って付設されているエアフィルタ１４は、その上流側面に捕集された塵埃を除去するため、フィルタ清掃機構２３により第１フィルタガイド経路１８内を往復動可能とされている。
【００３０】
フィルタ清掃機構２３は、エアフィルタ１４上に捕集されている塵埃を除去してエアフィルタ１４を自動清掃するものであり、フロントカバー３の前面側の下方部位に設置されている。本実施形態のフィルタ清掃機構２３は、エアフィルタ１４を往復動させるための左右一対の円筒状駆動ローラ２４と、駆動ローラ２４の下方に対向配置され、該駆動ローラ２４により移動されるエアフィルタ１４の塵埃捕集面から塵埃を掻き取る左右一対の回転ブラシ２５と、該回転ブラシ２５で掻き取った塵埃を回収して溜め込む左右一対の着脱可能なダストボックス２６とを備えた構成とされている。
【００３１】
駆動ローラ２４の左右両端部には、歯車２４Ａが設けられており、この歯車２４Ａとエアフィルタ１４のフィルタ枠の左右両側に設けられているラック１４Ａとが噛合わされている。これにより、駆動ローラ２４を介してエアフィルタ１４が第１フィルタガイド経路１８内を往復動可能とされている。なお、駆動ローラ２４は、図示省略のモータを介して正逆回転されるようになっている。
【００３２】
また、フィルタ清掃時に、エアフィルタ１４がフィルタ清掃機構２３の駆動ローラ２４を介して移動されたとき、その移動経路を確保するための第２フィルタガイド経路２７および第３フィルタガイド経路２９が筐体５内に形成されている。第２フィルタガイド経路２７は、エアフィルタ１４を駆動ローラ２４に沿う湾曲部を介して上方に折り返すための湾曲経路（Ｕターン経路）とされており、駆動ローラ２４の外周面と該駆動ローラ２４に沿って設けられている湾曲ガイド部材２８とによって形成されている。この第２フィルタガイド経路２７は、第１フィルタガイド経路１８の一端に連続されている。
【００３３】
第３フィルタガイド経路２９は、エアフィルタ１４を室内熱交換器１５の上方部位から外れた位置に導くための経路であり、第２フィルタガイド経路２７のＵターンされた側の端部に連続されている。この第３フィルタガイド経路２９は、室内熱交換器１５の前面側において、フロントパネル４の背面に沿って上下方向に延在されている第１フィルタガイド経路１８のガイド経路１８Ｂと、室内熱交換器１５の前面側との間を通して、該ガイド経路１８Ｂと略平行に上方に延在されている。
【００３４】
また、第３フィルタガイド経路２９は、フロントカバー３の前面側の桟６の表面とフィルタガイド１９の後面１９Ａとの間に形成される上方に延在する経路２９Ａと、筐体５内の前面上方部位で第１フィルタガイド経路１８と交差してフロントパネル４の背面に延在する、フィルタガイド２１とフロントパネル４背面のフィルタガイド部材２２とにより形成される経路２９Ｂと、フロントパネル４の背面に沿って下向きに折り返されて下方に延在し、フィルタガイド２１の下端付近で第１フィルタガイド経路１８に合流される、フィルタガイド２１とフィルタガイド部材２２によって形成される経路２９Ｃとから構成されている。
【００３５】
さらに、第３フィルタガイド経路２９と第１フィルタガイド経路１８とが交差する位置は、エアフィルタ１４が第３フィルタガイド経路２９に沿って移動される過程で、その一端が交差位置に差し掛かったとき、第１フィルタガイド経路１８を移動しているエアフィルタ１４の他端が交差位置を通過しているように、第２フィルタガイド経路２７のＵターン位置から最遠の上方位置に設定されている。
【００３６】
以上に説明の構成により、本実施形態によれば、以下の作用効果を奏する。
空気調和機１が運転されると、室内ファン１６の回転により、室内空気が吸込みグリル９および空気吸込み口８を介して筐体５内に吸込まれる。該空気は、エアフィルタ１４および空清フィルタ１７を通過する過程で塵埃、臭気等が除去され、清浄化されて室内熱交換器１５に供給される。そして、この空気が室内熱交換器１５で内部を流通する冷媒と熱交換されて冷却または加熱された後、空気流路１３、空気吹出し口１０を経て室内に吹出されることによって、室内の冷房または暖房に供される。
【００３７】
空気調和機１の運転時間が長くなると、エアフィルタ１４に捕集された塵埃が少しずつ蓄積され、通風抵抗が徐々に増加される。そのまま運転を続けると、圧損が増大し、空気調和機１の運転効率が低下されるため、例えば累積運転時間が設定時間に到達時の運転終了時毎に、フィルタ清掃機構２３を稼働させ、エアフィルタ１４上に蓄積されている塵埃を除去するフィルタ清掃運転を行うようにしている。このフィルタ清掃運転は、フィルタ清掃機構２３の駆動ローラ２４および回転ブラシ２５を回転駆動し、第１フィルタガイド経路１８に沿って付設されているエアフィルタ１４を、第２フィルタガイド経路２７を経て第３フィルタガイド経路２９へと移動させることによって行われる。
【００３８】
すなわち、駆動ローラ２４の回転により、歯車２４Ａにラック１４Ａを介して噛み合っているエアフィルタ１４が移動され、第１フィルタガイド経路１８から第２フィルタガイド経路２７および第３フィルタガイド経路２９へと往動される。この間、駆動ローラ２４と対向配置されている回転ブラシ２５がエアフィルタ１４の塵埃捕集面に接触し、エアフィルタ１４上に蓄積されている塵埃を掻き取り、該塵埃をダストボックス２６内に回収することによって、エアフィルタ１４の塵埃捕集面が自動的に清掃される。
【００３９】
図４は、エアフィルタ１４の全長の略半分が第３フィルタガイド経路２９内に移動された状態を示している。この状態で、エアフィルタ１４の一端が第１フィルタガイド経路１８と第３フィルタガイド経路２９との交差する位置に差し掛かっている。しかし、エアフィルタ１４の他端は、既に交差位置を通過しているため、エアフィルタ１４の端部同士が第３フィルタガイド経路２９と第１フィルタガイド経路１８との交差位置で互いに干渉することはなく、エアフィルタ１４は、第３フィルタガイド経路２９の経路２９Ａから経路２９Ｂへと交差位置を横切って移動される。
【００４０】
図４に示される状態から、エアフィルタ１４の残り半分を清掃するため、エアフィルタ１４が更に移動されると、エアフィルタ１４の一端は、第３フィルタガイド経路２９の経路２９Ｂに進入し、そこからフロントパネル４の背面に沿って下向きに折り返され、下方に延在されている経路２９Ｃに移動される。そして、該経路２９Ｃが第１フィルタガイド経路１８のガイド経路１８Ｂと合流する位置より、エアフィルタ１４の他端を追随するように、該ガイド経路１８Ｂへと移動され、エアフィルタ１４の一端が駆動ローラ２４の少し手前位置に到達した、図５に示される位置で、エアフィルタ１４の全面の清掃が完了すると同時に、エアフィルタ１４の往動が停止される。
【００４１】
こうして、エアフィルタ１４は、フィルタ清掃機構２３により自動清掃される際、第３フィルタガイド経路２９を介して室内熱交換器１５の上方部位から外れている、室内熱交換器１５前方のフロントパネル４の背面側へと移動される。この間、すなわち、エアフィルタ１４が、図３に示す位置から図５に示す位置まで移動（往動）される間に、エアフィルタ１４の全面が清掃され、エアフィルタ１４から回転ブラシ２５により掻き取られた塵埃は、ダストボックス２６内に落下され、回収される。
【００４２】
ダストボックス２６は、一定量の塵埃を溜め込むことができるようになっており、適宜量の塵埃が溜まったとき、ダストボックス２６を筐体５から取り外すことによって、塵埃を廃棄処分することができる。一方、エアフィルタ１４の自動清掃が完了すると、駆動ローラ２４が逆回転され、エアフィルタ１４は、図５に示される位置から、上記の経路を逆方向に移動され、再び図３に示す第１フィルタガイド経路１８にセットされた通常付設位置へと戻される。
【００４３】
斯くして、本実施形態によれば、エアフィルタ１４の自動清掃時に、エアフィルタ１４を移動させて塵埃を除去する際、第２フィルタガイド経路２７によりＵターンされて第３フィルタガイド経路２９に案内されたエアフィルタ１４を、該第３フィルタガイド経路２９を介して室内熱交換器１５の上方部位から外れた位置へと導くことができるため、フィルタ清掃機構２３において除去し切れずに一部の塵埃がエアフィルタ１４上に残っていたとしても、その塵埃が振動等により室内熱交換器１５上に落下することはなく、室内熱交換器１５に塵埃が付着することによる空気調和機１の性能低下や、せっかく捕集した塵埃の室内への再飛散等を防止することができる。
【００４４】
また、第２フィルタガイド経路２７は、室内熱交換器１５の上流側に第１フィルタガイド経路１８を介して付設されたエアフィルタ１４の一端が位置する筐体５内の前面側の下方部位に設けられ、これに連続する第３フィルタガイド経路２９が、室内熱交換器１５の前面側において第１フィルタガイド経路１８と平行して上方に延在されているため、エアフィルタ１４の清掃時、第２フィルタガイド経路２７によりＵターンされたエアフィルタ１４を、室内熱交換器１５の前面側において第１フィルタガイド経路１８のガイド経路１８Ｂと平行に上方に延在されている第３フィルタガイド経路２９に導くことができ、従って、第１フィルタガイド経路１８から移動されたエアフィルタ１４が室内熱交換器１５の上方部位に導かれることはなく、エアフィルタ１４に残留していた塵埃の室内熱交換器１５上への落下を防止することができる。
【００４５】
さらに、第３フィルタガイド経路２９は、第１フィルタガイド経路１８のガイド経路１８Ｂと室内熱交換器１５の前面側との間を通して上方に延在され、更に筐体５内の前面側の上方部位で第１フィルタガイド経路１８と交差し、筐体５の前面に沿う位置に延在されているため、エアフィルタ１４を、第１フィルタガイド経路１８のイド経路１８Ｂと室内熱交換器１５の前面側との間を通して上方に延在されている第３フィルタガイド経路２９に導くことができる。
【００４６】
しかも、第３フィルタガイド経路２９の経路長が、第１フィルタガイド経路１８と交差して筐体５の前面に沿う位置に延在されることによって十分長くされていることから、エアフィルタ１４が移動方向に長い大型フィルタであっても、それを第３フィルタガイド経路２９により確実に室内熱交換器１５の上方部位から外れた筐体５の前面に沿う位置に導くことができ、エアフィルタ１４に残留していた塵埃の室内熱交換器１５上への落下を防止することができるとともに、大型のフィルタを設置して吸込み面積を十分確保することができる。
【００４７】
また、第３フィルタガイド経路２９は、筐体５内の前面側の上方部位で第１フィルタガイド経路１８と交差した後、下向きに折り返され、更に筐体５の前面に沿って下方に延在されているため、第３フィルタガイド経路２９の経路長をより長くすることができ、大型フィルタの使用によって吸込み面積を十分確保することができるとともに、大型フィルタであっても、確実に室内熱交換器１５の上方部位から外れた筐体５の前面に沿う位置に導くことができ、エアフィルタ１４に残留していた塵埃の室内熱交換器１５上への落下を確実に防ぐことができる。
【００４８】
さらに、第３フィルタガイド経路２９と第１フィルタガイド経路１８とが互いに交差しているが、その交差位置をエアフィルタ１４が第３フィルタガイド経路２９に沿って移動され、その一端が交差位置に差し掛かったとき、第１フィルタガイド経路１８を移動中のエアフィルタ１４の他端が交差位置を通過している位置に設定しているので、交差位置でエアフィルタ１４の端部同士が互いに干渉することはなく、従って、エアフィルタ１４の一端側を、交差位置を通過させて筐体５の前面に沿って延在されている第３フィルタガイド経路２９に導くことができる。このため、上記の効果を確実に達成することができる。
【００４９】
また、第３フィルタガイド経路２９の経路２９Ｃが、筐体５の前面に沿って下向きに延在され、所定の位置で第１フィルタガイド経路１８のガイド経路１８Ｂに合流されているので、第３フィルタガイド経路２９の一部を、第１フィルタガイド経路１８の一部と共用化して筐体５の前面に沿って下向きに延在させることができる。このため、第３フィルタガイド経路２９を十分長くし、エアフィルタ１４を大型化することができるとともに、フィルタガイド経路１８，２９の構成を徒に複雑化することはなく、出来る限り簡素にしてユニットのコンパクト化を図ることができる。
【００５０】
なお、本発明は、上記実施形態にかかる発明に限定されるものではなく、その要旨を逸脱しない範囲において、適宜変形が可能である。例えば、上記実施形態では、フィルタ清掃機構２３を筐体５内の前面の下方部位に設置した例について説明したが、フィルタ清掃機構２３の設置位置は、この下方部位に限定されるものではない。また、フィルタ清掃機構２３は、必ずしも回転ブラシ式である必要はなく、固定式の掻き取りブラシを用いたものであってもよい。
【符号の説明】
【００５１】
１  空気調和機
５  筐体
６，７  フロントカバーの桟
９  吸込みグリル
１４  エアフィルタ
１５  室内熱交換器（熱交換器）
１８  第１フィルタガイド経路
１８Ａ，１８Ｂ  ガイド経路
１９  フィルタガイド
２０  空清フィルタのフィルタ枠
２１  フィルタガイド
２２  フィルタガイド部材
２３  フィルタ清掃機構
２４  駆動ローラ
２５  回転ブラシ
２６  ダストボックス
２７  第２フィルタガイド経路
２８  湾曲ガイド部材
２９  第３フィルタガイド経路
２９Ａ，２９Ｂ，２９Ｃ  経路
【図１】
0005660820.tif 000002
【図２】
0005660820.tif 000003
【図３】
0005660820.tif 000004
【図４】
0005660820.tif 000005
【図５】
0005660820.tif 000006